(57)【要約】【課題】後片付けが容易なバーベキュー用のコンロを提供する。【解決手段】開示されるバーベキュー用のコンロ１０は、容器２０と、容器２０に収納可能なコンロ本体３０とを含む。容器２０は、容器本体２１と蓋体２２とを含む。蓋体２２によって容器本体２１の蓋をしたときに、容器２０が火消し壺として機能する。【選択図】図１
0003196876.tif 000002
【実用新案登録請求の範囲】
【請求項１】
容器と、前記容器に収納可能なコンロ本体とを含むバーベキュー用コンロであって、
前記容器は、容器本体と蓋体とを含み、
前記蓋体によって前記容器本体の蓋をしたときに、前記容器が火消し壺として機能する、バーベキュー用コンロ。
【請求項２】
前記容器本体が前記コンロ本体の置き台として使用可能である、請求項１に記載のバーベキュー用コンロ。
【請求項３】
前記容器本体は、底部から開口部に向かって広がったバケツ状の形状を有し、
前記容器本体の底部を上にして置いたときに前記コンロ本体の置き台となる、請求項１に記載のバーベキュー用コンロ。
【請求項４】
前記容器は、前記容器内部の圧力が上昇したときに前記容器内部の気体を放出するための通気部を備える、請求項１〜３のいずれか１項に記載のバーベキュー用コンロ。
【請求項５】
前記容器は、前記容器内部の圧力が上昇したときに前記容器内部の気体を放出する弁を備える、請求項１〜４のいずれか１項に記載のバーベキュー用コンロ。
【請求項６】
前記蓋体によって前記容器本体の蓋をして前記容器を火消し壺として使用するときに、前記蓋体が前記容器本体に固定されない構成を有する、請求項１〜５のいずれか１項に記載のバーベキュー用コンロ。
【請求項７】
前記蓋体によって前記容器本体の蓋をしたときに、前記蓋体と前記容器本体との間に隙間が生じるように前記蓋体および前記容器本体が構成されている、請求項１〜６のいずれか１項に記載のバーベキュー用コンロ。
【考案の詳細な説明】
【技術分野】
【０００１】
本考案は、バーベキュー用コンロに関する。
【背景技術】
【０００２】
バーベキュー用のコンロは、使用後のコンロの洗浄や、使用後の炭の処理が大変である。炭の消火が容易なバーベキュー用の器具として、バーベキュー用の鍋本体に蓋をすることによって炭を消火する器具が提案されている（特開２０００−１６６７７３号公報）。
【先行技術文献】
【特許文献】
【０００３】
【特許文献１】特開２０００−１６６７７３号公報
【考案の開示】
【考案が解決しようとする課題】
【０００４】
本考案は、後片付けが容易なバーベキュー用のコンロを提供することを目的とする。
【課題を解決するための手段】
【０００５】
本考案のバーベキュー用コンロは、容器と、前記容器に収納可能なコンロ本体とを含むバーベキュー用コンロであって、前記容器は、容器本体と蓋体とを含み、前記蓋体によって前記容器本体の蓋をしたときに、前記容器が火消し壺として機能する。
【考案の効果】
【０００６】
本考案のコンロ本体では、使用したコンロ本体を容器に収納することによって、火消しを簡単に行うことができる。また、使用後のコンロ本体を容器に収納した状態で簡単に持ち運びできるため、コンロ本体を使用場所で掃除する必要がなくなる。
【図面の簡単な説明】
【０００７】
【図１】本考案のコンロの一例を模式的に示す斜視図である。
【図２】本考案のコンロの使用状態の一例を模式的に示す斜視図である。
【考案を実施するための形態】
【０００８】
以下、本考案の実施形態について例を挙げて説明する。なお、以下では例を挙げて本考案を説明するが、本考案は以下の例に限定されない。
【０００９】
本考案のバーベキュー用コンロは、容器と、容器に収納可能なコンロ本体とを含む。容器は、容器本体と蓋体とを含む。蓋体によって容器本体の蓋をしたときに、容器が火消し壺として機能する。
【００１０】
本考案のコンロは、持ち運ぶことが可能なコンロである。本考案のコンロの好ましい一例は、片手で持ち運ぶことが可能なコンロであり、その重さは１０ｋｇ以下や５ｋｇ以下であってもよい。１つの観点では、本考案のコンロは、使用場所まで持ち運ぶことが容易な携帯型のコンロであり、使用後には簡単に撤収できる。
【００１１】
コンロ本体は、内部に炭を配置して調理ができるコンロである限り特に限定はない。通常、コンロ本体は、その中央部に、炭を配置するための空間を備える。コンロ本体の形状に限定はない。コンロ本体を上から見たときの形状は、円状であってもよいし矩形状であってもよい。コンロ本体は、七輪のようなものであってもよい。コンロ本体は、金属製であってもよいし、金属と他の材料からなるものであってもよいし、金属以外の材料からなるものであってもよい。コンロ本体は、少なくとも主要部がステンレスからなる金属製のものであってもよく、すべてがステンレスからなるものであってもよい。
【００１２】
コンロ本体には、持ち運びを容易にするための取っ手が取り付けられてもよい。取っ手は、着脱可能なものであってもよい。本考案のコンロは、炭を配置するための空間に蓋をするための第２の蓋体を含んでもよい。第２の蓋体を用いることによって、炭を消火した後の運搬時に、炭や灰がコンロ本体からコンロ本体の外部（容器内部）に漏れることを抑制できる。
【００１３】
容器本体の形状に特に限定はなく、たとえば、開口部の方が広がったバケツ状のものであってもよいし、底を有する円筒状のものであってもよいし、開口部を有する直方体状のものであってもよい。容器本体は、コンロ本体を収納することができる形状を有する。容器は、コンロ本体をそのまま収納できるものであってもよい。あるいは、コンロ本体の一部を折り畳むなどしたのち、コンロ本体を容器に収納してもよい。
【００１４】
蓋体は、容器本体に蓋をすることによって容器が火消し壺として機能するものである限り、特に限定はない。蓋体は、容器本体の開口部に蓋をすることができる形状を有する。
【００１５】
容器本体および／または蓋体には、持ち運びを容易にするための取っ手が取り付けられてもよい。取っ手は、着脱可能なものであってもよい。
【００１６】
容器が火消し壺として機能するためには、容器本体に蓋をしたときに、容器内部と容器外部との間の空気の流れが抑制されることが必要になる。そのため、容器本体に蓋をしたときに、容器の開口部（通気部）の面積が、容器の表面積の５％以下であることが好ましく、２％以下や１％以下であってもよく、実質的に０％（実質的に密閉状態）であってもよい。たとえば、容器の開口部（通気部）の面積が、１０ｃｍ2以下や５ｃｍ2以下や２ｃｍ2以下であってもよい。
【００１７】
なお、二酸化炭素は空気よりも重いため、容器の上部側にある開口部は、容器の下部側にある開口部よりも、火消しの性能に与える影響が小さいと考えられる。そのため、開口部を設ける場合の一例では、実質的な開口部（通気部）が、容器の上部側（容器の高さの半分より上の位置）にのみ設けられる。容器の下部側（容器の高さの半分以下の位置）に開口部（通気部）が設けられる場合、容器の下部側の開口部の面積Ｓ１を、容器の上部側の開口部の面積Ｓ２よりも小さくしてもよく、面積Ｓ２の０．５倍以下や０．２倍以下としてもよい。
【００１８】
開口部を設ける場合の一例において、開口部は、蓋体に設けてもよいし、容器本体の上部側（容器本体の高さの半分より上の位置）に設けてもよい。容器本体に取っ手を取り付ける場合、容器本体の上部側に取っ手の取り付け部を設け、その取り付け部を開口部（通気部）として用いてもよい。
【００１９】
開口部（通気部）は、開口部の面積を変えることができるものであってもよい。たとえば、スライド式の窓を開口部として用いてもよい。また、ねじをまわすことによって開口部の面積を変えることができるようにしてもよい。開口部（通気部）の面積を可変とすることによって、状況（風の強さや炭の量など）に応じて、消火と安全性とのバランスをとることが容易になる。
【００２０】
容器本体に蓋をしたときに容器内部が密閉状態となる場合、炭の熱によって容器内部の空気が膨張して容器内部の圧力が上昇し、蓋体が飛ばされる恐れがある。そのため、本考案のコンロは、以下の（１）、（２）、（３）、および（４）からなる群より選ばれる少なくとも１つの条件を満たしてもよい。たとえば、本考案のコンロは、以下の（１）〜（４）の条件のいずれか１つを満たしてもよい。
（１）容器（容器本体および／または蓋体）が、容器内部の圧力が上昇したときに容器内部の気体を放出する弁を備える。
（２）容器（容器本体および／または蓋体）が、容器内部の圧力が上昇したときに容器内部の気体を放出するための通気部（開口部）を備える。この場合の好ましい一例では、容器の上部側に通気部（開口部）が設けられる。
（３）蓋体によって容器本体の蓋をして容器を火消し壺として使用するときに、蓋体が容器本体に固定されない構成を有する。
（４）蓋体によって容器本体の蓋をしたときに、蓋体と容器本体との間に隙間が生じるように蓋体および容器本体が構成されている。
【００２１】
上記（２）の通気部（開口部）の面積は、０．１ｃｍ2以上であってもよく、０．５ｃｍ2以上や１ｃｍ2以上であってもよく、１０ｃｍ2以下や５ｃｍ2以下や２ｃｍ2以下であってもよい。通気部（開口部）の面積は、０．１〜１０ｃｍ2の範囲にあってもよく、０．１〜５ｃｍ2の範囲や０．５〜５ｃｍ2の範囲や０．５〜２ｃｍ2の範囲にあってもよい。上記（１）の弁には公知の弁を用いることができ、たとえば、貫通孔（通気部）の上に可動の板（たとえばヒンジなどで可動とされている板）を配置することによって構成された弁であってもよい。上記（３）の例には、容器本体の開口部に蓋体を固定せずに置くだけで容器本体に蓋をして炭を消火する場合が含まれる。この場合、容器内部の圧力が上昇したときには蓋体が浮き上がって容器内部の気体が放出される。上記（４）の例には、蓋体および／または容器本体の接触部分（蓋体と容器本体との接触部分）に、切り欠き部や凹凸や段差を設けることが含まれる。
【００２２】
上記（２）の条件を満たす場合の好ましい一例では、以下の（２−１）または（２−２）の条件が満たされる。この場合の特に好ましい一例では、容器の上部側（容器の高さの半分より上の位置）に開口部（通気部）が設けられる。
（２−１）開口部（通気部）の面積が、上述した範囲（たとえば、０．１〜１０ｃｍ2の範囲や０．１〜５ｃｍ2の範囲や０．５〜５ｃｍ2の範囲や０．５〜２ｃｍ2の範囲）にある。
（２−２）開口部（通気部）の面積が可変であり、たとえば０〜１０ｃｍ2の範囲（たとえば、０〜５ｃｍ2の範囲や０〜２ｃｍ2の範囲）で可変である。
【００２３】
開口部（通気部）を通る空気の速度が速いと、火消し壺としての性能が低下する。そのため、開口部（通気部）を通る空気の速度を低下させるために、開口部（通気部）に、空気の流れを抑制する部材を配置してもよい。そのような部材の例には、メッシュ（たとえば金属のメッシュ）や多孔体が含まれる。
【００２４】
容器を火消し壺として用いる場合、火が付いた炭が入ったコンロ本体を容器内に配置することになる。その場合には、容器が高温となるときがある。そのため、容器は、耐熱性があるもので構成されていることが好ましい。たとえば、容器本体および蓋体は、それぞれ、金属で構成されていてもよい。容器本体および蓋体は、その主要部または全部がステンレスで構成されていてもよい。
【００２５】
容器本体は、コンロ本体の置き台として使用可能なものであってもよい。コンロ本体を使用する際に地面に直に置くと、地面が加熱されて環境に悪影響を与える場合がある。また、コンロ本体を地面に置くと、コンロ本体が低すぎて調理しにくい場合がある。そのため、容器本体をコンロ本体の置き台として使用できれば便利である。容器本体は、容器本体の底部を上にして置いたときにコンロ本体の置き台となるものであってもよい。容器本体が底部から開口部に向かって広がったバケツ状の形状を有する場合には、容器本体の底部を上にしてコンロ本体の置き台とすることによって、コンロ本体を安定して置ける。また、容器本体に蓋体で蓋をし、その蓋体の上にコンロを置けるようにしてもよい。この場合も、容器本体はコンロの置き台の一部となる。
【００２６】
蓋体は、コンロ本体の置き台として使用可能なものであってもよく、容器本体の置き台として使用可能なものであってもよい。本考案のバーベキュー用コンロの一例では、容器本体がコンロ本体の置き台として使用可能なものであり、蓋体が容器本体の置き台として使用可能なものである。この場合、下方から、蓋体、容器本体、コンロ本体の順で配置してバーベキューを行うことができる。
【００２７】
地面への影響を少なくするために、コンロ本体の使用時において地面と接する部分の面積をできるだけ小さくしてもよい。たとえば、足部を設けて地面と接する部分の面積を小さくしてもよい。地面に接する置き台として容器本体を用いる場合には、容器本体に足部が設けられてもよい。地面に接する置き台として蓋体を用いる場合には、蓋体に足部が設けられてもよい。コンロ本体に足部が設けられてもよい。足部は着脱可能な棒状のものであってもよい。
【００２８】
容器本体をコンロ本体の置き台として用いる場合、本考案のコンロは、コンロ本体を容器本体に固定する固定具を含んでもよい。たとえば、容器本体の底面とコンロ本体の底面とに、固定具を設けて両者を固定できるようにしてもよい。これによって、容器本体を置き台として用いる場合の安全性を高めることができる。
【００２９】
本考案のコンロは、蓋体を容器本体に固定するための固定具を備えてもよい。そのような固定具がある場合、コンロの保管や運搬が容易になる。本考案のコンロで用いられる固定具には、蓋体、容器本体、およびコンロ本体などに後付けされる留め具が含まれる。また、固定具には、蓋体、容器本体、およびコンロ本体などの一部の形状を加工することによって固定具として機能するようにした固定部が含まれる。
【００３０】
容器は、コンロ本体以外の各種の器具を収納可能であってもよい。たとえば、容器は、焼き網、トング、鉄板、火起こし器などを収納可能であってもよい。
【００３１】
本考案のバーベキュー用コンロの一例を図１に示す。バーベキュー用コンロ１０は、容器２０と、コンロ本体３０とを含む。容器２０は、容器本体２１と、蓋体２２とを含む。
【００３２】
図１に示すコンロ本体３０は、炭を入れるための凹部３１を備える。凹部３１の下部およびコンロ本体３０の側面には、炭に空気を送るための通気孔が形成されている。コンロ本体３０の側面には、通気量を調節するためのスライド式の窓が形成されていてもよい。コンロ本体３０の上部には、網焼き用の網などが配置される。コンロ本体３０の上部には鉄板焼き用の鉄板が配置可能であってもよい。
【００３３】
容器２０は、内部にコンロ本体３０を収納可能である。また、容器２０は、蓋体２２によって容器本体２１の蓋をすることによって、火消し壺として機能する。容器２１は、底部から開口部に向かって広がったバケツ状の形状を有する。
【００３４】
図１に示す一例では、容器本体２１にハンドル（取っ手）２３が取り付けられている。ハンドル２３は、金属線で形成されている。容器本体２１の上部には、ハンドル２３を取り付けるための２つの貫通孔２１ｈが形成されている。ハンドル２３の両端は、その貫通孔２１ｈに差し込まれている。ハンドル２３が差し込まれた貫通孔２１ｈは、わずかに空気が通過可能である。そのため、容器２０を火消し壺として使用する場合に、容器２０内部で膨張した空気を、貫通孔２１ｈから容器外部に逃がすことが可能である。
【００３５】
図１に示す一例では、容器本体２１の開口部を下にして置くことによって、容器本体２１をコンロ本体３０の置き台として使用できる。そのような使用状態を、図２に模式的に示す。なお、図２では、取っ手２３の図示を省略するなど、図示を簡略化している。図２の例において、蓋体２２を容器本体２１の置き台として使用してもよい。
【００３６】
コンロ１０では、コンロ本体３０を使用した後に、コンロ本体３０を掃除することなく容器２０に収納してコンロ本体３０を持ち帰ることができる。そのため、バーベキューを行った場所でコンロ本体３０を掃除する必要がなく、撤収が容易である。また、容器２０を火消し壺として使用することが可能であるため、炭の火が消えていなくても、容器２０内で速やかに消火できる。
【００３７】
容器２０を火消し壺として使用する場合、火がついた炭が入ったままのコンロ本体３０を容器本体２１内に配置し、蓋体２２で蓋をすればよい。これによって、容器２０内の酸素濃度が低下して炭の火が消える。容器２０内で消火された炭は、再度使用することが可能である。また、容器２０にコンロ本体３０を収納できるため、使用しないときの保管も容易である。
【産業上の利用可能性】
【００３８】
本考案は、バーベキュー用のコンロに利用できる。
【符号の説明】
【００３９】
１０  バーベキュー用のコンロ
２０  容器
２１  容器本体
２２  蓋体
２３  取っ手
３０  コンロ本体
【図１】
0003196876.tif 000003
【図２】
0003196876.tif 000004